(57)【要約】ある実施例は、シーケンシャルなデータ部分を第１のデータ・セットに、省電力モードを共用する時間間隔により分離する送信機を提供する（１００５）。送信機は、個々の時間間隔により分離される、第１のデータ・セットを有するデータのシーケンシャル部分を送信する。個々の時間間隔は、第１のデータ・セットからシーケンシャルに送信されたデータ部分の受信と受信の間に、受信機が省電力モードを開始及び終了するのに十分な長さを有する（１０１０）。送信機は、第２のデータ・セット内のシーケンシャルなデータ部分を、受信機が時間間隔中に省電力モードを開始及び終了するのに十分な時間長ではない時間間隔により分離する（１０１５）。次に第２のデータ・セットは送信される（１０２０）。
2009537094.tif 000002
【特許請求の範囲】
【請求項１】
方法であって、
送信機から、第１のデータ・セットを送信する段階、及び
前記送信機から、第２のデータ・セットを送信する段階、を有し、
前記第１のデータ・セットを有するシーケンシャルなデータ部分の送信は、前記第１のデータ・セットを有するシーケンシャルに送信された部分の受信と受信の間に、受信機に省電力モードを開始及び終了することを許容する長さの個々の時間間隔により分割され、
前記第２のデータ・セットは、ユーザーにより選択可能な番組を有し、前記第２のデータ・セットの全ての部分の送信は、前記第２のデータ・セットを有するシーケンシャルに送信された部分の受信と受信の間に、受信機に省電力モードを開始及び終了することを許容しない長さの個々の時間間隔により分割される、方法。
【請求項２】
前記受信機は電源をオフにされることにより省電力モードを開始する、請求項１記載の方法。
【請求項３】
前記第２のデータ・セットを送信する段階は、受信機が前記第２のデータ・セットを受信する間、連続的にオンのままであるプロトコルに従い前記第２のデータ・セットを送信する段階を有する、請求項１記載の方法。
【請求項４】
前記第２のデータ・セットを送信する段階は、前記第１のデータ・セットの送信の少なくとも部分が重なり合う時間期間中に前記第２のデータ・セットを送信する段階を有する、請求項１記載の方法。
【請求項５】
前記第１のデータ・セットを送信する段階は、バースト・モードで送信する段階を有し、
前記第２のデータ・セットを送信する段階は、連続モードで送信する段階を有する、請求項４記載の方法。
【請求項６】
前記第１及び第２のデータ・セットを送信する段階は、残留側波帯変調フォーマットに従い送信する段階を有する、請求項５記載の方法。
【請求項７】
前記第１及び第２のデータ・セットを送信する段階は、ＡＴＳＣ  Ａ／５３デジタル・テレビジョン規格に従い送信する段階を有する、請求項４記載の方法。
【請求項８】
前記第１のデータ・セットを送信する段階は、バースト・モードで送信する段階を有し、
前記第２のデータ・セットを送信する段階は、連続モードで送信する段階を有する、請求項１記載の方法。
【請求項９】
前記第２のデータ・セットは番組コンテンツを有し、前記番組コンテンツは符号化されインターリーブされている、請求項１記載の方法。
【請求項１０】
（１）前記第１のデータ・セットは第１の再生レートで表示されるデータを有し、
（２）前記第２のデータ・セットは第２の再生レートで表示されるデータを有し、
（３）前記第１のデータ・セットは前記第１の再生レートより実質的に高いレートで送信され、前記第２のデータ・セットは実質的に前記第２の再生レートで送信される、請求項１記載の方法。
【請求項１１】
前記第１のデータ・セットの少なくとも１つの部分は、所定のスケジュールに従い複数回送信される、請求項１記載の方法。
【請求項１２】
システムであって、
第１のデータ・セットの部分の情報源と結合されたバッファ、
前記バッファから第２のデータ・セットの部分と共に受信された前記第１のデータ・セットの部分を多重化する多重化装置、及び
前記多重化装置と結合され、前記第１のデータ・セット及び前記第２のデータ・セットの多重化された部分を受信及び送信する通信機、を有し、
前記通信機は、前記第１のデータ・セットのシーケンシャルな部分の受信と受信の間に、受信機に省電力モードを開始及び終了を許容する長さを有する個々の時間間隔により分割された前記第１のデータ・セットの部分を送信し、
前記通信機は、受信機が前記送信されたデータを受信する間にオンのままであるプロトコルに従い、前記第２のデータ・セットの部分を送信する、システム。
【請求項１３】
前記通信機は、前記第１のデータ・セットの送信の少なくとも部分が重なり合う時間期間中に前記第２のデータ・セットを送信する段階を有する、請求項１２記載のシステム。
【請求項１４】
（１）前記第１のデータ・セットは第１の再生レートで表示されるデータを有し、
（２）前記第２のデータ・セットは第２の再生レートで表示されるデータを有し、
（３）前記通信機は前記第１のデータ・セットを前記第１の再生レートより実質的に高いレートで送信し、前記第２のデータ・セットを実質的に前記第２の再生レートで送信する、請求項１２記載のシステム。
【請求項１５】
方法であって、
第１のストリームからバースト送信を受信するために、受信機が固定されたアクティブな時間期間の間に、省電力モードを終了する段階、
前記固定されたアクティブな時間期間の間に、前記受信機が、前記第１のストリームから前記バースト送信を受信する段階、
前記固定されたアクティブな時間期間の間に、前記受信機が、第２のストリームからデータを受信する段階、
前記第２のストリームから受信されたデータを廃棄する段階、及び
前記第１のストリームからの別のバーストを待ちながら、固定された省電力時間期間の間、前記省電力モードに入る段階、を有する方法。
【請求項１６】
前記省電力モードを終了する段階は、バースト送信の予定到来時間に基づく時間に終了する段階を有する、請求項１５記載の方法。
【請求項１７】
前記第２のストリームから受信したデータは、関心のあるデータ・ストリームに属しないことを決定する段階、を更に有する請求項１５記載の方法。
【請求項１８】
前記第１のストリームは、受信機により第１のストリーム・レートで受信され、
前記第１のストリームは、前記第１のストリーム・レートより実質的に遅い第１の再生レートで表示されるデータを有し、
前記第２のストリームは、前記受信機により第２のストリーム・レートで受信され、
前記第２のストリームは、前記第２のストリーム・レートと実質的に同じ第２の再生レートで表示されるデータを有する、請求項１５記載の方法。
【請求項１９】
前記受信機は、携帯型再生装置の受信機である、請求項１５記載の方法。
【請求項２０】
前記方法は、前記受信機が連続的に動作する場合と比較して低減された消費電力を提供する、請求項１５記載の方法。
【請求項２１】
受信機であって、
（１）第１のストリームからバースト送信を受信するために、前記受信機は、固定された受信時間期間の間に、省電力モードを終了し、
（２）前記固定された受信時間期間の間に、前記受信機は、前記第１のストリームから前記バースト送信を受信し、
（３）前記固定された受信時間期間の間に、前記受信機は、第２のストリームからデータを受信し、
（４）前記第２のストリームから受信されたデータを廃棄し、及び
（５）前記第１のストリームからの別のバーストを待ちながら、固定された省電力時間期間の間、前記省電力モードに入る、受信機。
【請求項２２】
バースト送信の予定到来時間に基づく時間に前記省電力モードを終了する、請求項２１記載の受信機。
【請求項２３】
前記第２のストリームから受信したデータは、関心のあるデータ・ストリームに属しないことを決定する、請求項２１記載の受信機。
【請求項２４】
前記第１のストリームは、前記受信機により第１のストリーム・レートで受信され、
前記第１のストリームは、前記第１のストリーム・レートより実質的に遅い第１の再生レートで表示されるデータを有し、
前記第２のストリームは、前記受信機により第２のストリーム・レートで受信され、
前記第２のストリームは、前記第２のストリーム・レートと実質的に同じ第２の再生レートで表示されるデータを有する、請求項２１記載の受信機。
【請求項２５】
前記受信機は、携帯型再生装置の受信機である、請求項２１記載の受信機。
【請求項２６】
前記受信機は、前記受信機が連続的に動作する場合と比較して低減された消費電力で動作する、請求項２１記載の受信機。
【請求項２７】
装置であって、
第１のストリームからバースト送信を受信するために、受信機で固定された受信時間期間の間に、省電力モードを終了する手段、
前記固定された受信時間期間の間に、前記受信機で、前記第１のストリームから前記バースト送信を受信する手段、
前記固定された受信時間期間の間に、前記受信機で、第２のストリームからデータを受信する手段、
前記第２のストリームから受信されたデータを廃棄する手段、及び
前記第１のストリームからの別のバーストを待ちながら、固定された省電力時間期間の間、前記省電力モードに入る手段、を有する装置。
【請求項２８】
コンピューター可読媒体であって、格納された複数の命令を有し、前記複数の命令は、
第１のストリームからバースト送信を受信するために、受信機が固定された受信時間期間の間、省電力モードを終了する段階、
前記固定された受信時間期間の間、前記受信機が、前記第１のストリームから前記バースト送信を受信する段階、
前記固定された受信時間期間の間に、前記受信機が、第２のストリームからデータを受信する段階、
前記第２のストリームから受信されたデータを廃棄する段階、及び
前記第１のストリームからの別のバーストを待ちながら、固定された省電力時間期間の間、前記省電力モードを開始する段階、を実行する、コンピューター可読媒体。
【請求項２９】
方法であって、
データ・ストリームにアクセスする段階、
前記データ・ストリームを一連のバーストに分割する段階、及び
前記一連のバーストを、時間的に分離された直列の連続的バーストと共に、連続モード送信システムを介し送信する段階、を有する方法。
【請求項３０】
前記一連のバーストの送信を、前記バーストの受信と受信の間に受信機が省電力モードを開始し前記省電力モードを終了するのに十分な期間の時間間隔により分離する段階、を更に有する請求項２９記載の方法。
【請求項３１】
前記一連のバーストの送信を、前記バーストの受信と受信の間に受信機がオフに切り替わり、次にオンに切り替わるのに十分な期間の時間間隔により分離する段階、を更に有する請求項２９記載の方法。
【請求項３２】
前記分離を時間領域で決定する段階、を更に有する請求項２９記載の方法。
【請求項３３】
前記一連の各バーストは、前記一連の中の次のバーストの予定送信時間の表示を有する、請求項２９記載の方法。
【請求項３４】
前記時間領域の分離は、前記受信機が、一連のバーストを受信した後に、前記省電力モードを開始し、次に前記省電力モードを終了するのに十分な期間であり、前記バーストが受信される信号を再取得し、及び前記再取得した信号の前記一連のバーストの内の次のバーストを受信する、請求項２９記載の方法。
【請求項３５】
前記連続モード送信システムは、残留側波帯送信を用いる、請求項２９記載の方法。
【請求項３６】
前記連続モード送信システムは、ＡＴＳＣ  Ａ／５３デジタル放送規格に従う、請求項２９記載の方法。
【請求項３７】
システムは、
第１のデータ・ストリームを受信し、前記第１のデータ・ストリームを一連のバーストに分割するプロセッサー、及び
同時に、第２のデータ・ストリームを連続モードで送信し、前記一連のバーストをバースト・モードで送信する送信機、を有し、
前記連続的バーストの送信は時間領域で分離される、システム。
【請求項３８】
前記送信機は、前記一連のバーストの送信を、受信機が省電力モードを開始し前記バーストの受信と受信の間に前記省電力モードを終了するのに十分な期間の時間間隔により分離する、請求項３７記載のシステム。
【請求項３９】
前記送信機は、前記一連のバーストの送信を、前記バーストの受信と受信の間に受信機がオフに切り替わり、次にオンに切り替わるのに十分な期間の時間間隔により分離する、請求項３７記載のシステム。
【請求項４０】
前記分離時間を決定するプロセッサー、を更に有する請求項３７記載のシステム。
【請求項４１】
前記送信機は、一連の１又は複数のバーストに、前記一連の中の次のバーストの予定送信時間の表示を含める、請求項３７記載のシステム。
【請求項４２】
方法であって、受信機が、データ・ストリーム内の一連のバースト・データを受信する段階、を有し、
前記バーストは連続モード送信システムを介し、前記連続的バーストの受信と受信の間に、前記受信機が省電力モードを開始及び終了するのに十分な期間を有する分離時間により時間領域で分離される、方法。
【請求項４３】
前記一連の中の特定のバーストを受信した後に、前記省電力モードを開始する段階、及び
前記一連の中の追加のバーストを受信する前に、前記省電力モードを終了する段階、を更に有し、
前記終了は、前記受信機が、前記バーストの受信される信号を取得し、次に前記追加のバーストを受信するために、前記追加のバーストを受信する十分前に生じる、請求項４２記載の方法。
【請求項４４】
前記特定のバーストと共に、前記追加のバーストの予定受信時間の表示を受信する段階、及び
前記受信した追加のバーストの予定受信時間の表示に基づき、前記追加のバーストを受信する前に前記省電力モードを終了する時間を決定する段階、を更に有し、
前記省電力モードを終了する段階は、前記決定された時間に前記受信機を起動する段階を有する、請求項４３記載の方法。
【請求項４５】
前記データ・ストリームを伝達する信号を再取得する段階、を更に有し、
前記追加のバーストは、前記再取得した信号で受信される、請求項４３記載の方法。
【請求項４６】
受信機であって、データ・ストリーム内の一連のバースト・データを受信し、
前記バーストは連続モード送信システムを介し受信され、
連続的バーストは、前記連続的バーストの受信と受信の間に、前記受信機が省電力モードを開始及び終了するのに十分な期間を有する分離時間により時間領域で分離される、受信機。
【請求項４７】
（１）前記一連の中の特定のバーストを受信した後に、前記省電力モードを開始し、及び
（２）前記一連の中の第２のバーストを受信する前に、前記省電力モードを終了し、
前記終了は、前記受信機が、前記バーストの受信される信号を取得し、次に前記第２のバーストを受信するために、前記第２のバーストを受信する十分前に生じる、請求項４６記載の受信機。
【請求項４８】
前記受信機は、前記第１のバーストと共に、前記第２のバーストの予定受信時間の表示を受信し、
前記受信機は、前記受信した第２のバーストの予定受信時間の表示に基づき、前記第２のバーストを受信する前に前記省電力モードを終了する時間を決定するプロセッサーを更に有し、及び
前記受信機は、前記決定された時間に前記省電力モードを終了する、請求項４７記載の受信機。
【請求項４９】
装置であって、
データ・ストリーム内の一連のバースト・データを受信する手段、及び
省電力モードを開始し前記省電力モードを終了する手段、を有し、
前記バーストは連続モード送信システムを介して受信され、前記連続的バーストは分離時間により時間領域で分離され、
前記分離時間は、前記連続的バーストの受信と受信の間に、前記装置が前記省電力モードを開始及び終了するのに十分な期間を有する、装置。
【請求項５０】
コンピューター可読媒体であって、格納された命令を有し、
前記命令は、受信機で、データ・ストリーム内の一連のバースト・データを受信させ、
前記バーストは連続モード送信システムを介し受信され、
連続的バーストは、前記連続的バーストの受信と受信の間に、前記受信機が省電力モードを開始及び終了するのに十分な期間を有する分離時間により時間領域で分離される、コンピューター可読媒体。
【発明の詳細な説明】
【技術分野】
【０００１】
本発明は、デジタル情報の放送に関連する。
【背景技術】
【０００２】
既存のＡＴＳＣ（Advanced  Television  Systems  Committee）のデジタル・テレビジョン放送のためのＡ／５３規格を用いた放送では、データは連続的に送信される。受信機は、全ての受信情報を連続的に復調する。ＡＴＳＣ  Ａ／５３プロトコルを用いたシステムでは、利用可能帯域は１９Ｍｂｐｓを超え、高データ転送レートが提供される。大容量データ転送の結果として、復調器の消費電力要件は重要である。
【発明の開示】
【発明が解決しようとする課題】
【０００３】
本発明は、データ伝送方法及び装置を提供する。
【課題を解決するための手段】
【０００４】
ある概略的な態様によると、送信機は第１のデータ・セットを送信する。第１のデータ・セットを有するデータのシーケンシャル部分の送信は、個々の時間間隔により分離される。個々の時間間隔は、第１のデータ・セットを有するシーケンシャルに送信されたデータ部分の受信と受信の間に、受信機が省電力モードを開始し、そして省電力モードを終了するのに十分な長さを有する。  送信機は第２のデータ・セットを送信する。第２のデータ・セットは、ユーザーにより選択可能な番組を有する。第２のデータ・セットの全ての部分の送信は、個々の時間間隔により分離される。個々の時間間隔は、第２のデータ・セットを有するシーケンシャルに送信された部分の受信と受信の間に、受信機が省電力モードを開始し、そして省電力モードを終了するのに十分な長さを有する。
【０００５】
別の概略的な態様によると、受信機は、第１のストリームからバースト送信を受信するために、固定された受信時間の間、省電力モードを終了する。受信機は、固定された受信時間期間の間、第１のストリームからのバースト送信を受信する。受信機は、固定された受信時間期間の間、受信機で第２のストリームからのデータを受信する。受信機は、第２のデータ・ストリームから受信したデータを廃棄し、第１のストリームからの別のバーストを待ちながら、固定された省電力モード時間期間の間、省電力モードに入る。
【０００６】
別の概略的な態様によると、送信機は、データ・ストリームにアクセスし、データ・ストリームを一連のバーストに分割する。一連のバーストは、時間的に分離された直列の連続的バーストと共に、連続モード送信システムを介し、送信される。  別の概略的な態様によると、受信機は、データ・ストリーム内の一連のバースト・データを受信する。バーストは連続モード送信システムを介し受信され、連続的バーストは分離時間により時間領域で分離されている。分離時間は、連続的バーストの受信と受信の間に、受信機が省電力モードを開始及び終了するのに十分な期間を有する。
【０００７】
１又は複数の実施が添付の図面及び以下の説明に詳細に記載される。他の特徴は、説明、図面、及び特許請求の範囲から明らかであろう。
【発明を実施するための最良の形態】
【０００８】
１又は複数の実施例は、受信機に連続的にオンであることを要求するプロトコルに従いデータが送信されるときに、電力管理の問題を解決する、データ受信方法及びデータ送信方法を提供する。このようなプロトコルの例は、ＡＴＳＣデジタル・テレビジョン規格（Ａ／５３）である。電力管理が望ましい用途の例は、バッテリーのような内部電源に依存している移動体装置の例である。上述のように、復調器は、全ての受信データを検査しなければならず、復調器は大容量データを連続的に処理しなければならない。従って、復調器は、携帯型装置の全体の電力消費要求に対して有効な電力を有する。
【０００９】
特に移動体装置に提供されるコンテンツのデータ転送レートの低減により、ＭＰＥＧ復号器及びディスプレイ等の電力消費要求を低減しうる。しかしながら、ＡＴＳＣ  Ａ／５３では、復調器が、地上波テレビジョンのために供給されるデータを含む全てのデータを処理するので、特に移動体装置へ供給されるコンテンツのデータ転送レートを低減しても、復調器の電力消費要件をあまり低減しない。
【００１０】
ある実施例は、第１のデータ・セットを連続的に送信し、及び第２のデータ・セットを断続的に送信することにより、これらの課題を解決する。ここで、第２のデータ・セットの一部は個々の時間間隔により分離されている。時間間隔は、受信機が第２のデータ・セットの連続する部分の受信と受信の間に、省電力モードを開始及び省電力モードを終了できるよう、十分に長い。第１のデータ・セットは、地上波テレビジョンのためのデジタル・テレビ番組データであり、第２のデータ・セットは、移動体受信機により用いられるデジタル・テレビ番組データである。このような実施例の利点は、移動体装置の電力消費が、復調器が連続的に動作する場合に要求される電力消費と比べて低減されうることである。
【００１１】
図１を参照すると、オーディオ及びビデオ・データの送受信のためのシステム１００が示される。少なくとも第１及び第２のデータ・ストリームが供給される。第１のデータ・ストリームは、示されるように第１のオーディオ及び第１のビデオを有してよい。第２のデータ・ストリームは、示されるように第２のオーディオ及び第２のビデオを有してよい。第１のデータ・ストリームは、例えばデジタル化されたテレビ番組のようなオーディオ及びビデオ・コンテンツを有してよい。第２のデータ・ストリームは、例えばデジタル化されたテレビ番組のようなオーディオ及びビデオ・コンテンツを有してよい。ある実施例では、第１のデータ・ストリームは、表示されるフレーム毎に比較的小容量のデータを有してよい。第１のデータ・ストリームは、例えば送信され比較的小さいディスプレイで表示されるテレビ番組を有してよい。特定の番組又は第１のデータ・ストリームの部分は、第１のデータ・セットであると考えられてよい。特定の番組又は第２のデータ・ストリームの部分は、第２のデータ・セットであると考えられてよい。
【００１２】
第２のビデオのためのビデオ・サブシステムは１０５で示され、ビデオ・ソース符号化及び圧縮１０７を有する。ビデオ・ソース符号化及び圧縮は、ビット・レート低減をもたらすハードウェア及びソフトウェアを有してよい。例えば、符号化及び圧縮１０７は、ＭＰＥＧ−２ビデオ・ストリーム・シンタックスに従いデータを符号化するハードウェア及びソフトウェアを有してよい。第２のオーディオ・ストリームのためのオーディオ・サブシステムは１１０に示される。オーディオ・サブシステム１１０は、オーディオ・ソース符号化及び圧縮１１２を有してよい。例えば、オーディオ・ソース符号化及び圧縮１１２は、デジタル・オーディオ圧縮（ＡＣ−３）規格に従い符号化するハードウェア及びソフトウェアを有してよい。
【００１３】
ビデオ・サブシステム１１５は、第１のビデオ・ストリームを受信し、ビデオ・ソース符号化及び圧縮１１７を有してよい。ビデオ・ソース符号化及び圧縮１１７は、例えば、ＭＰＥＧ−２ビデオ・ストリーム・シンタックスに従い符号化及び圧縮を行うハードウェア及びソフトウェアを有してよい。オーディオ・サブシステム１２０は、第１のオーディオ・ストリームを受信し、オーディオ・ソース符号化及び圧縮１２２を有してよい。オーディオ・ソース符号化及び圧縮１２２は、デジタル・オーディオ圧縮（ＡＣ−３）規格に従い符号化及び圧縮を行うハードウェア及びソフトウェアを有してよい。
【００１４】
第１のビデオ・サブシステム１１５は、符号化及び圧縮されたビデオ・ストリームをバッファ１１８へ出力する。バッファ１１８は、符号化及び圧縮されたビデオ・ストリームの一部を記憶するメモリーを有する。所望の特性に依存して、バッファ１１８は、約１、２、若しくは５秒から、又は符号化及び圧縮されたビデオ・ストリームの再生レートより遅い、再生レートで符号化及び圧縮されたビデオ・ストリームの約６０、１２０、若しくは３００秒までの記憶のためのメモリーを有してよい。同様に、第１のオーディオ・サブシステム１２０は、符号化及び圧縮されたオーディオ・ストリームをバッファ１２３へ出力する。バッファ１２３は、符号化及び圧縮されたオーディオ・ストリームの一部を記憶するメモリーを有する。所望の特性に依存して、バッファ１２３は、約１、２、若しくは５秒から、又は符号化及び圧縮されたオーディオ・ストリームの再生レートより遅い、再生レートで符号化及び圧縮されたオーディオ・ストリームの約６０、１２０、若しくは３００秒まで又はそれ以上の記憶のためのメモリーを有してよい。バッファ１１８及びバッファ１２３の両者の記憶容量は、再生レートの観点から、同一又は実質的に同一であってよい。
【００１５】
第２のビデオ・サブシステム１０５は、符号化及び圧縮されたビデオ・ストリームをサービス多重化装置１４５へ出力する。第２のオーディオ・サブシステム１１０は、符号化及び圧縮されたオーディオ・ストリームをサービス多重化装置１４５へ出力する。第２のビデオ・サブシステム１０５及び第２のオーディオ・サブシステム１１０の両者は、それぞれビデオ及びオーディオ・ストリームを対応する再生レートで、又は実質的に当該再生レートで出力してよい。バッファ１１８は、符号化及び圧縮されたビデオ・ストリームを、部分に分け、各部分の間に間隔を空けて、サービス多重化装置１４５へ周期的に出力する。バッファ１２３は、符号化及び圧縮されたオーディオ・ストリームを、部分に分け、各部分の間に間隔を空けて、サービス多重化装置１４５へ周期的に出力する。各間隔中に、如何なるデータもバッファ１１８又はバッファ１２３から出力されない。バッファ１１８及び１２３は、同じ部分中にデータを出力するよう、及び同じ間隔中にデータを出力しないよう同期してよい。
【００１６】
サービス多重化装置１４５は、図示されるように制御データ及び付属データも受信する。制御データは、例えば条件付きアクセス制御データを有してよい。付属データは、独立番組サービス、字幕のような番組のオーディオ及びビデオ・サービスと関連付けられたデータを有してよい。サービス多重は、バッファ１１８、１２３からデータを出力するタイミングと関連する情報を提供する第１のオーディオ及びビデオ・タイミング情報１３０も受信する。
【００１７】
サービス多重化装置１４５は、符号化及び圧縮されたオーディオ及びビデオ・ストリーム、制御データ、付属データ、及び第１のオーディオ及びビデオ・タイミング情報を含む受信データを多重化する。伝送１４７は、伝送機構を提供する。例えば、サービス多重化装置１４５及び伝送１４７は、ビデオ、オーディオ、及びデータ信号のパケット化及び多重化に、ＭＰＥＧ−２トランスポート・ストリーム・シンタックスを用いてよい。伝送１４７は、ビデオ、オーディオ、及びデータ信号を含む、パケット化及び多重化されたデータ・ストリームをＲＦ／送信システム１５０へ、及び特にチャンネル符号器１５２へ提供する。チャンネル符号器１５２は、送信の問題又は障害が生じた場合に受信信号からデータを再構成するために、受信機により利用可能な追加情報を追加する。チャンネル符号器１５２は、パケット化及び多重化されたデータ・ストリームを、チャンネル符号器１５２により付加された追加情報と共に変調器１５４へ出力する。変調器１５４はデータ・ストリームを変調する。変調器１５４は、地上波放送モードを用い、８−ＶＳＢ（残留側波帯）又は１６−ＶＳＢのような高データ・レート放送モードを変調してよい。変調器１５４は、変調されたデータ・ストリームを無線送信機１５６へ供給する。無線送信機１５６は、変調されたデータ・ストリームを無線で送信する。
【００１８】
受信機１６０、１６２が図示される。受信機１６０は、家庭用電源のような外部電源と直接接続されたデジタル・テレビジョン・セットのような固定受信機であってよい。受信機１６０は、家庭用電源と接続されている場合以外は動作しない。受信機１６２は、携帯型装置であってよく、携帯型ハンドヘルド装置であってよい。受信機１６２は、再充電可能なバッテリーであってよい１又は複数のバッテリーのような電源を有する筐体を有してよい受信機１６２は、ディスプレイ及びオーディオ出力のための１又は複数のスピーカーを有してよい。受信機１６２は、他の機能を有してよく、例えば図示されるようなパーソナル・デジタル・アシスタント、携帯電話若しくは衛星電話、衛星若しくは地上波ラジオ受信機、デジタル音楽プレーヤー、パーソナル・コンピューター、及び前述の如何なる２つ若しくはそれ以上の機能を備えた装置であってもよい。受信機１６２は、携帯型装置で望ましい如何なる他の機能を有してもよい。
【００１９】
変調器１５４は、変調データをトランスポート制御１２５へ供給する。トランスポート制御１２５は、サービス多重化装置１４５を制御し、バッファ１１８及び１２３からのデータのタイミングを制御し、及び第１のオーディオ及びビデオ・タイミング情報ブロック１３０を同期させる。ブロック１３０は、タイミング制御パケットを生成し、受信機内のバースト受理工程の同期を取る。
【００２０】
図１に示される実施例では、第１のデータ・ストリームは、受信機が省電力モードを開始し、及び省電力モードを終了するのに十分な期間である間隔だけ離された部分で送信される。第２のデータ・ストリームは、受信機が省電力モードを開始し、及び省電力モードを終了するのに十分な期間の間隔を空けずに、連続的に送信される。第１のデータ・ストリームはバースト・モードで送信されてよい。第２のデータ・ストリームは連続モードで送信されてよい。両方のデータ・ストリームは、受信機が常にオンであることを要求するプロトコルに従い送信されてよい。
【００２１】
種々の実施例は、受信機が省電力モードでないアクティブ時間期間、及び受信機が省電力モードである省電力時間期間を定める。これらの時間期間は固定されていてよい。これらの時間期間は、受信機が省電力モードを開始する時間及び終了する時間により定められるか、又は実質的に定められてよい。アクティブ時間期間の間、受信機はデータの取得及び受信を実行する。
【００２２】
図２を参照し、送信機２００の実施例を議論する。送信機は例えば図１のシステム１００内に実施されてよい。第１のチャンネルの第２のデータ・ストリーム２０５は、上述のように適切に符号化及び圧縮されてよく、多重化装置１４５へ供給される。第２のチャンネルの第２のデータ・ストリーム２１０は、上述のように適切に符号化及び圧縮されてよく、多重化装置１４５へ供給される。第１及び第２のチャンネルの第２のデータ・ストリームの供給は、実質的に連続してよい。第１及び第２のチャンネルは、デジタル・テレビジョン放送の第１及び第２のチャンネルであってよく、ビデオ、オーディオ、及び付属データを有してよい。第１のチャンネルの第１のデータ・ストリーム２２０は、バッファ２２２へ供給されてよい。第２のチャンネルの第１のデータ・ストリーム２２４は、バッファ２２６へ供給されてよい。バッファ２２２及びバッファ２２６は、それぞれビデオ・データ・ストリーム及びオーディオ・データ・ストリームのための別個のバッファを有してよい。第１及び第２のチャンネルは、デジタル・テレビジョン放送の第１及び第２のチャンネルであってよく、第２のデータ・ストリームより遅い、所与の番組期間のデータ転送レートを有してよい。
【００２３】
バッファ２２２、２２６は、第１のチャンネル２２０、第２のチャンネル２２４とそれぞれ関連付けられる。バッファ２２２は、実質的に連続に、及び実質的に第１のチャンネルのデータ２２０と関連付けられた再生レートで、第１のチャンネルのデータ２２０を受信する。バッファ２２２は、受信した第１のチャンネルのデータを格納し、第１のチャンネルのデータを多重化装置１４５へ、第１のチャンネルのデータ２２０と関連付けられた再生レートより高いレートで、出力し、第１のチャンネルのデータを多重化装置１４５へ間隔を空けて出力する。バッファ２２２により出力されるデータの平均レートは、間隔及びデータが出力される時間期間の両方を含み、第１のチャンネル２２０から受信されるデータ・レートと同一である。同様に、バッファ２２６は、受信された第２のチャンネルのデータを格納し、格納された第２のチャンネルのデータを多重化装置１４５へ、第２のチャンネルのデータ２２４と関連付けられた再生レートより速いレートで出力する。バッファ２２６により出力されるデータの平均レートは、間隔及びデータが出力される時間期間の両方を含み、第２のチャンネル２２４から受信されるデータ・レートと同一である。ある実施例では、チャンネル２２０、２２４と同様の２つより多いチャンネル、及び各チャンネルに関連付けられたバッファがあってよい。或いは、バッファは１より多いチャンネルと関連付けられてよい。
【００２４】
データ・ソース２３０は、上述のように、付属データ及び制御データを供給してよい。第１のデータ・ストリーム・タイミング情報挿入２３２は、バッファ２２２、２２６からの第１のデータ・ストリーム・データの出力タイミングに関するデータを供給する。第１のデータ・ストリーム・タイミング情報挿入パケット、又は複数のパケットは、送信機カウンタの現在の状態、及び送信機カウンタに関連して種々のバースト送信が送信されるときの状態を供給する。第１のデータ・ストリーム・タイミング情報は、以下に詳細に説明される。多重化装置１４５は、データを受信し、多重化し、及び例えばＭＰＥＧ−２データ伝送規格を用いパケット化する。当該データは、チャンネルの第１のデータ・ストリーム、及びチャンネルの第２のデータ・ストリーム、制御データ、及びデータ・ソース２３０からの付属データ、並びに第１のデータ・ストリーム・タイミング情報２３２を有する。多重化されたデータはＶＳＢ変調器１５４へ供給され、次に無線送信機（示されない）へ供給される。ＶＳＢ変調器１５４は、ＶＳＢ変調信号を出力する。ＶＳＢ変調器１５４からの同期信号情報は、トランスポート制御１２５へ供給されてよい。トランスポート制御１２５は、タイミング制御信号を多重化装置１４５へ供給し、多重化装置１４５からの多重化データの出力を制御する。送信制御１４５は、タイミング情報を第１のデータ・ストリーム・タイミング情報挿入２３２へ供給する。
【００２５】
図３を参照し、図２の送信機２００のような実施例の処理フローを説明する。ブロック３００により示されるように、第１のビデオ及びオーディオ・ストリームが受信される。第１のビデオ及びオーディオ・ストリームは、デジタル・テレビジョン・チャンネル、又は他のデータ・ソースの構成要素であってよい。ブロック３０５により示されるように、受信した第１のビデオ及びオーディオ・ストリームはバッファに格納される。例えば、バッファへの格納は、図２のバッファ２２２、２２６により実行されてよい。ブロック３１０により示されるように、第１のオーディオ及びビデオ・ストリームはバーストに分割される。バーストの大きさは、例えばデータ・フィールドの数により定められてよい。ブロック３１５に示されるように、バースト・モード送信に関連するバーストを識別するタグが、バースト・モード送信により送信されるフィールドに割り当てられてよい。ブロック３２０に示されるように、バーストは、送信チャンネル内のスロットに割り当てられてよい。バーストのスロットへの割当ての更なる説明は、図５を参照して以下に議論される。ブロック３２５に示されるように、バッファからバーストを出力するためのタイミング情報は、バッファにより得られる。タイミング情報は、送信データに含まれるタイミング・パルスに基づき決定されてよい。ブロック３２０に示されるように、バーストは、送信チャンネル内のスロットに割り当てられる。ブロック３３０に示されるように、第１のオーディオ及びビデオ・ストリームはバッファからバッファへ送信される。タイミングは、ブロック３２５で得られたタイミング情報と一致し、バーストはブロック３２０によりスロットに割り当てられてよい。
ブロック３３５に示されるように、第２のビデオ及びオーディオ・ストリームが受信される。ブロック３４０に示されるように、多重化装置は次に第１及び第２のストリームとタイミング情報を多重化する。以上に詳述されたように、ストリーム、タイミング、並びに付属データ及び制御データのような他のデータは、ＭＰＥＧ−２伝送規格のような規格に従い多重化されてよい。多重化されたストリームは次に、ブロック３４５に示されるように、ＶＳＢ変調規格等に従い変調される。変調された信号は次に、ブロック３５０に示されるように、無線で送信される。
【００２６】
図４を参照すると、ある実施例で、送信可能なデータ４００のフィールドの例の構成要素が示される。フォーマットはＡ／５３デジタル・テレビジョン規格に従う。フィールド４００は３１３個のセグメントに分割される。第１のセグメントは、データ・フィールド同期セグメント４０２である。当該セグメントは、受信機により利用可能なデータを含み、送信を同期させる。残りの３１２個のセグメントは、６個のグループ、つまりグループ１４０５乃至グループ６４１０に分けられる。各グループは、グループ１のセグメント１（４２０）乃至セグメント５２（４２２）、及びグループ６のセグメント２６１（４２４）乃至３１２（４２６）のような５２個のセグメントを有する。データ・フィールドは、携帯型装置の復調器のための第１のデータ・ストリーム又はデジタル・テレビジョンのための第２のデータ・ストリームの何れかと関連付けられた、データ自体を識別するデータを含む。ある実施例では、ストリーム識別データは、データ・パケットのヘッダーに含まれる。
【００２７】
前方誤り訂正技術及びデータ・フォーマットを提供する大きな処理の一部として、データはフィールド４００に設定されることが理解されるだろう。例えば、データの任意抽出、リードソロモン符号化、インターリーブ、トレリス符号化、同期、及びパイロット挿入として知られている技術は、データをＶＳＢ変調器へ転送する前に設けられる。
【００２８】
図５Ａを参照すると、ある実施例で、チャンネルをスロットへ割り付ける例が示される。一般的に５０５のように、１０チャンネルの番組の入来データ・ストリームが示される。特に入来データ・ストリームは、受信機が選択されたチャンネルの番組を連続的に受信すると同時に、省電力モードを開始及び終了可能な方法で送信される。一般的に５１０のように、チャンネル容量の入来データ・ストリームは、デジタル・テレビジョン受信機により利用される。ブロック５０６は、一般に、送信用にフォーマット化された入来データ・ストリーム５０５を表す。チャンネル５０５は、順次配置され、それぞれがチャンネルに関連付けられた別個のバッファからのバーストを表す。ブロック５０６の垂直方向の高さは一般に帯域幅を表し、水平方向の幅は時間を表す。５０５の１０チャンネルは帯域幅全体に対し比較的小さい部分であることが分かる。高解像度データ・ストリーム５１０はスロットに割り当てられず、５２１に示されるようにタイミングに関係なく残りの帯域幅を埋める。
【００２９】
図５Ｂを参照すると、高解像度テレビジョン・データと標準画質テレビジョン（ＳＤＴＶ）データの両方を含む実施例の、帯域幅のスロット及び区分の割当ての例が示される。チャンネル５０５は、図５Ａと同一の方法で順次配置される。標準地上波ＨＤＴＶデータ・ストリーム５１０は、５２１で示されるように、帯域幅の大部分である主要部分を占める。標準画質テレビジョン・データ・ストリーム５１１は、５２２で示されるように、帯域幅の更なる部分を占める。
【００３０】
図５Ｃを参照すると、標準画質テレビジョン・データの２つのストリームを含む実施例の、帯域幅のスロット及び区分の割当ての例が示される。チャンネル５０５は、図５Ａ及び５Ｂと同一の方法で順次配置される。第１の標準画質テレビジョン・データ・ストリーム５１３は、５２３で示されるように、帯域幅の一部を占める。第２の標準画質テレビジョン・データ・ストリーム５１４は、５２４で示されるように、残りの帯域幅を占める。図５Ａ、５Ｂ、及び５Ｃは、例えば移動体番組（例えば、チャンネル５０５）及び標準地上波（例えば、ＨＤＴＶ５２１及びＳＤＴＶ５２２）番組の間の帯域幅関係を示す。
【００３１】
図６を参照すると、移動体受信機が用いるデータ・ストリームと標準地上波放送が用いるデータ・ストリームとの間の帯域幅の区分が示される。ブロック６００は、選択された時間期間に渡る帯域幅の使用を表す。ブロック６１０、６１９、及び中間のブロックは、それぞれバースト・スロットを表す。データが時間期間全体の１０分の１だけのバーストで送信される場合でも、バースト・スロット０は、例えばブロック６００の全体の幅と等しい時間期間のデータ・ストリームを表すデータを有するバーストを表してよい。ブロック６０５は、高解像度テレビジョン、デジタル・テレビジョン、及び他のデータと関連付けられたような、連続モードの地上波放送コンテンツの帯域幅を表す。スロットの数は単なる例であることが理解されるだろう。
【００３２】
バースト・モードで送信されるデータのチャンネル毎の単位時間当たりのデータ量は、連続モードで送信されるデータのチャンネル毎の単位時間当たりのデータ量より少ない。実際に、バースト・モードのチャンネルは、標準的に非常に低いデータ・レートを有する。例えば、バースト・モードのチャンネルは１００−４００ｋｂｐｓの範囲であり、連続モードのチャンネルは１０−１２Ｍｂｐｓの範囲である。従って、バースト・モードの複数のチャンネルは、連続モードの単一のチャンネルと同一量の帯域幅に収容されうる。
【００３３】
図７を参照し、ある実施例のバースト・バッファの読み出しタイミングを制御する実施例を説明する。変調器から受信されたフィールド同期タイミング・パルスは、バースト・タイミング・カウンタ７１０で受信される。バースト・タイミング・カウンタ７１０は、フィールド同期タイミング・パルス又は省電力モードで局所的に生成された等価クロックに基づき、フィールド同期期間での経過時間の値を出力する。バースト・タイミング・カウンタは、第１のデータ・ストリーム・タイミング情報挿入ブロック２３２により生成されたタイミング情報パケットにより送信機に固定される。省電力モードでは、フィールド同期パルスと等価なタイミング・パルスは、局所的に生成される。クロック信号は、時間読み出しレジスタ７３０へ出力される。各バースト・バッファの読み出しのためのフィールド同期期間に測定された時間は、対応するバースト時間レジスタ７２０、７２２、７２４、７２６に格納される。各バースト時間レジスタは、格納された相対時間を、対応するバースト比較器７４０、７４２、７４４、７４６へ供給する。バースト比較器７４０、７４２、７４４、７４６はまた、バースト・タイミング・カウンタ７１０から信号を受信し、バースト・タイミング・カウンタからの信号の値をバースト時間レジスタから受信した値と比較する。バースト・タイミング・カウンタからの信号がバースト時間レジスタから受信した値と等しい場合、バースト比較器はバースト・バッファ読み出し信号を出力する。図５Ａ乃至５Ｃと関連して先に説明したように、フィールド同期はクロック信号として機能し、フィールド同期期間はデータが割り当てられるスロットの時間基準として機能する。送信機及び受信機の両者は、フィールド同期期間と等しい単位でカウントするカウンタを有する。第１のデータ・ストリーム・タイミング情報挿入２３２は、バースト・タイミング・カウンタが同期した時を示すパケットを送信する。そして、バースト・タイミング・カウンタは、フィールド同期の間隔に等しい間隔に基づき時間を決定する。第１のデータ・ストリーム・タイミング情報挿入２３２により生成されたタイミング情報パケットは、周期的に送信され、受信機が起動後又はＲＦチャンネルの変化の後に同期をとれるようにしなければならない。フィールド同期は、例えば同期をとるために利用可能な時間基準であり、代案として他の時間基準が用いられてもよい。
【００３４】
実施では、起動すべき時、又は次のバーストが所与のチャンネルへ送信される時に関する情報を有してよい。これは、例えば（１）周期的なタイミングを用いることにより、例えば１０秒毎にバーストが送信される等、（２）例えばＭＰＥＧ制御パケットのようなモバイル・パケット内に当該情報を含めることにより、又は（３）フィールド同期セグメント内に当該情報を含めることにより、実施されてよい。
図８を参照し、送信機８００の実施例を説明する。受信機８００は、例えば携帯型ハンドヘルド装置であってよい。変調信号は、アンテナ８０５で受信されＶＳＢ復調器８１０へ供給される。ＶＳＢ復調器８１０は受信信号を復調し、当該受信機に関連する信号成分（例えば選択されたチャンネルのビデオ）を選択してよい。
【００３５】
ＶＳＢ復調器８１０は、フィールド同期パルス信号を識別し、フィールド同期パルス信号を受信機のバースト・タイミング・カウンタへ出力する。出力は、送信プロセッサー８５０へ供給される。送信プロセッサー８５０は、信号にデータ復元機能を実行し、オーディオ及びビデオ信号をバッファ８６０へ出力する。送信プロセッサー８５０はまた、関心のあるバーストの次の送信時間を識別し、受信機のバースト・タイミング・カウンタ８３０を送信機のバースト・シーケンスに同期させるための情報を提供する。次の送信時間は、例えば、受信ストリームで提供されるか、受信される他の制御情報で提供されるか、又は公開の案内で提供されてもよい。
【００３６】
受信機バースト・タイミング・カウンタ８３０は、第１のデータ・ストリーム・タイミング情報挿入２３２（図２に示される）からのタイミング情報を受信してから、フィールド同期間の間隔と等しい間隔をカウントし、送信機内のスロット順序に関連するカウントを保持する。このカウンタは、システムのスロット順序に一致する巡回カウントとして実施されてよい。バースト・タイミング・カウンタ８３０は、第１のデータ・ストリーム・タイミング情報挿入２３２からのタイミング情報の受信から経過した時間を示す信号を、比較器８２０へ供給する。バースト・タイミング・レジスタ８２５は、バーストが受信されるべき時間期間に対応する値を格納し、当該時間を比較器８２０へ供給する。格納されるべき値は、送信機により供給される移動端末用番組案内を含むパケットから得られる。比較器８２０は、入力がＶＳＢ復調器８１０の電源を入れる（起動する）信号を生成する。取得モード・多重化装置８３５は、比較器８２０が入力するとき、又は受信機８００が取得モードのときに（取得モード信号により示される）、ＶＳＢ復調器８１０の電源を入れる（起動する）信号を供給する。
【００３７】
図９を参照し、受信データの処理の実施例を説明する。処理は、例えば図８に示された受信機により実行されてよい。ブロック９０５により示された段階の前に、受信機は省電力モードになっている。省電力モードでは、復調器８１０は動作しない。最初の段階で、ブロック９０５により示されるように、復調器は取得モードになる。取得モードでは、復調器はデータ同期パケットを識別しようとしている。次の段階で、ブロック９１０により示されるように、データ同期パケットが取得される。一旦、同期が達成されると、信号が受信される。
受信機は、ユーザーに表示されうる番組案内情報のような情報を受信し復調してよい。ユーザーは次に、ユーザーが決定したデータ・オブジェクトの選択を入力してよい。当該データ・オブジェクトは、あるテレビ・チャンネルでオーディオ及びビデオを表現するデータ・ストリームであってよい。チャンネル選択は、ブロック９２５に示されるように、ユーザーから受信される。復調器は次に、選択されたチャンネルに対応する次のバースト送信の時間を取得する。ブロック９３０に示されるように、当該時間は、バースト時間レジスタに読み出される。受信機は次に、省電力モードを開始してよい。省電力モードを開始する段階は、ブロック９３５により示されるように、復調器を停止する段階を有してよい。幾つかの実施では、「次の」送信時間を決定し省電力モードを開始する前に、選択されたチャンネルの次のバーストを待ってよい。
【００３８】
受信機はローカル・クロックを有する。ブロック９４０に示されるように、ローカル・クロックにより維持される時間は、次のバースト又はバースト時間レジスタからの対象パケットの時間と比較される。理解されるべき点は、バースト時間レジスタに格納された時間は、受信機の選択されたチャンネルのために予定されている次のバーストの時間より前の、省電力モードを終了する適切な時間であってよい。例えば、格納された時間は、データの１又は複数のフィールドが、選択されたチャンネルに対応する次のバーストの予定時間の前に処理されるのに十分な時間であってよい。ある実施例では、バーストの数フィールド前に省電力モードが終了し、復調器が信号を取得することを可能にする。
【００３９】
ローカル時間がバースト時間レジスタからの省電力モードを終了すべき時間に達すると、受信機は省電力モードを終了する。省電力モードを終了する段階は、ブロック９４５により示されるように、復調器を起動する段階を有してよい。ブロック９５０により示されるように、復調器はフィールド・パルス信号を受信する。ブロック９５５により示されるように、復調器はフィールド・パルス信号を用いて同期を取られる。ブロック９６５により示されるように、次に、テレビ・データのようなデータを有するバースト、及び次のバーストのタイミングが受信される。
【００４０】
ブロック９７０に示されるように、ビデオ及びオーディオ・データのようなデータがバッファへ転送される。ブロック９７０からブロック９３０への線により示されるように、処理の流れは次に、選択されたチャンネルに対応するバースト時間レジスタを読み出す段階に戻る。受信機は次に、復調器を停止することにより、再び省電力モードを開始する。
【００４１】
ある実施例によると、及び図１０を参照すると、方法は第１のデータ・セットを送信機から送信する段階を有する。ブロック１００５に示されるように、第１のデータ・セットを有するシーケンシャルなデータ部分の送信は、個々の時間間隔により分離される。個々の時間間隔は、第１のデータ・セットからシーケンシャルに送信されたデータ部分の受信と受信の間に、受信機が省電力モードを開始し、そして省電力モードを終了するのに十分な長さを有する。ブロック１０１０に示されるように、送信機は、第１のデータ・セットからのシーケンシャルなデータ部分を送信する。ブロック１０１５に示されるように、第２のデータ・セットは、個々の時間間隔により分離されたシーケンシャルな部分を有する。個々の時間間隔は、第２のデータ・セットからシーケンシャルに送信されたデータ部分の受信と受信の間に、受信機が省電力モードを開始し、そして省電力モードを終了できない長さを有する。ブロック１０２０に示されるように、第２のデータ・セットのシーケンシャルな部分が送信される。データ・セットは、例えば受信したＲＦチャンネルの番組の表示から又は一般的な電子番組案内からユーザーに選択させることにより、ユーザーにより選択可能なデータである。
【００４２】
幾つかの実施例では、第１のデータ・セットの全てのシーケンシャルな部分は、上述の省電力モードを許容する時間間隔で送信されてよく、第２のデータ・セットの全てのシーケンシャルな部分は、上述の省電力モードを許容しない時間間隔で送信されてよい。幾つかの実施例では、第１のデータ・セットを有するデータは、上述の省電力モードを許容する時間間隔で送信されてよく、第２のデータ・セットを有するデータは、上述の省電力モードを許容しない時間間隔で送信されてよい。データ・セットを有するデータとは、データ・セットを定めるデータの全て又は実質的に全てである。例えば、データ・セットがテレビ番組である場合、データ・セットを有するデータは少なくとも、当該番組を受信機に提供するために送信されたデータの実質的に全てである。
【００４３】
ある実施例では、受信機は電源をオフ切り替えることにより省電力モードを開始する。他の実施例では、例えば復調器のような１又は複数の構成要素の電源をオフに切り替えることにより（又は単に省電力状態に入ることにより）、省電力モードが開始される。
【００４４】
図１１に示された実施例では、ブロック１１００により示されるように、受信機は省電力モードを終了する。ブロック１１０５により示されるように、受信機は第１のデータ・ストリームからバースト送信を受信する。ブロック１１１０により示されるように、受信機は第２のデータ・ストリームからバースト送信を受信する。ブロック１１１５により示されるように、受信機は第２のデータ・ストリームから受信したデータを廃棄する。ブロック１１２０により示されるように、受信機は次に、省電力モードを開始する。省電力モードの終了から省電力モードの開始までの間の時間期間は、アクティブ時間期間として参照されてよい。
【００４５】
ある実施例では、第２のデータ・ストリームは、関心のないバースト番組である。別の実施例では、移動体装置はバースト番組を受信するだけであり、第２のデータ・ストリームはバースト・モードで送信されないテレビ（例えば高解像度又は標準画質）番組である。別の実施例では、アクティブ時間期間中に如何なる第２のストリームも受信されない。何故なら、省電力モードの終了と開始のタイミングが、省電力モードが終了し取得を実行した後だからであり、第１のストリームが省電力モードの開始前に受信されるだけだからである。
【００４６】
図１２を参照する。送信機により実行される段階、及び受信機により実行される段階が示されるが、これらの段階は別個に実施されてもよい。ブロック１２００により示されるように、送信機はデータ・ストリームにアクセスする。ブロック１２０５により示されるように、データ・ストリームは一連のバーストに分割される。ブロック１２１０により示されるように、一連のバーストは、時間的に分離された直列の連続的バーストと共に、連続モード送信システムを介し、送信される。ブロック１２１５により示されるように、受信機は送信されたバーストを受信する。
【００４７】
種々の実施例は、ＡＴＳＣ  Ａ／５３規格を実装する従来の受信機との下位互換性を提供する。このような実施例では、下位互換性は、受信機がバースト・チャンネルのために受信した如何なるデータも廃棄することにより提供される。受信機はチャンネル識別子を認識しないので、バースト・データを廃棄する。非認識は、バースト・チャンネルの識別子が放送局により供給されるチャンネル・マップ情報に含まれていないために、生じる。
【００４８】
本願明細書を通じて記載されたように、ある実施例は低データ・レート情報が移動体装置でバースト送信及びバースト受信されることを可能にする。このような実施例は、例えば、ユーザーが携帯電話端末で圧縮されたビデオを閲覧することを可能にする。送信及び受信のバースト特性は、携帯電話端末がバーストとバーストの間で省電力モードを用い、電力を節約することを可能にする。更に、バースト・データは、放送時間をずらす方法（スタッガーキャスト）で複数回放送されてよく、受信機にバースト・データを受信する第２の（又はより高い確率の）機会を与えてよい。
【００４９】
幾つかの実施例では、バースト・データを、ＡＴＳＣ  Ａ／５３規格を実装する受信機へ送信可能にすることが記載された。ＡＴＳＣ  Ａ／５３規格は、一般に連続規格として参照される。また、ＡＴＳＣ  Ａ／５３に準拠した受信機は、一般に連続受信機として参照される。何故なら、如何なる所与のチャンネルも連続的に送信され、連続的に受信される必要があるからである。つまり、如何なるバーストの提供もＡＴＳＣ  Ａ／５３規格に制定されていない。同様に、他の実施例は、異なる連続規格及びシステムにバースト機能を提供する。
【００５０】
ＡＴＳＣ  Ａ／５３規格と併せてバースト・モードを提供することは、ＡＴＳＣ  Ａ／５３規格を用いて放送するコンテンツ放送局が直面している種々の技術的問題を解決する。このような問題は、例えば、移動体装置に対する高出力要求、及び追加番組のための広帯域幅がないことを含む。バースト・モードは、バースト特性とタイミングについての配慮をＡＴＳＣ  Ａ／５３規格と統合することにより、またバースト・データを連続データと共に多重することにより、技術的解決を提供する。技術的利点は、移動体装置のための番組の増大、移動体装置に低電力しか要求されないこと、及び既存のＡＴＳＣ  Ａ／５３番組の放送との互換性があること、を含む。
【００５１】
更に、本願明細書に記載された種々の解決策は、ＡＴＳＣ  Ａ／５３規格を非自明な方法で向上させる。例えば制約のある物理的チャンネル（例えば、１放送局に対し６ＭＨｚに制約される）で追加帯域幅を要求する、バースト・データを連続規格システムを介し送信する、及び送信機及び受信機でバースト用の追加記憶を要求するなどである。さらに、バースト特性を利用し、バーストとバーストの間で省電力モードを開始及び終了する受信機は、受信されている如何なる連続モード・チャンネルにも固定されず、バースト・モードを終了するときに要求される比較的長い取得時間も許容しなければならない。
【００５２】
再生レートの語は、標準的にデータが再生されるビット・レートを表す。従って、バーストが、次のバーストが生じるまでに再生されるべきデータを有する場合、当該バーストは一般的に再生レートより高いレートでデータを送信する。送信レートは、標準的に送信時間中の平均送信レートを表すが、瞬間レートも用いられてよい。
【００５３】
種々の態様、実施例、及び特徴は、以上に特定の方法を参照せずに又は１つだけの方法を用いて記載されていても、１又は複数の種々の方法で実施されてよい。例えば、種々の態様、実施例、及び特徴は、例えば、１又は複数の方法若しくは装置、方法、番組若しくは他の命令セットを実行する装置又は処理装置、番組若しくは命令セットを含む装置、及びコンピューター可読媒体を用い実施されてよい。
【００５４】
装置は、例えば、別個の若しくは統合されたハードウェア、ファームウェア、及びソフトウェアを有してよい。例として、装置は、例えば、一般に処理装置と称されるプロセッサー、例えばマイクロプロセッサー、集積回路、又はプログラム可能な論理素子を含む。別の例として、装置は、１又は複数の処理を実行する命令を有する１又は複数のコンピューター可読媒体を含む。
【００５５】
コンピューター可読媒体は、例えば、ソフトウェア担体、又は例えばハードディスク、コンパクト・ディスク、ランダム・アクセス・メモリー（ＲＡＭ）、若しくは読み出し専用メモリー（ＲＯＭ）のような他の記憶装置を含む。コンピューター可読媒体は、例えば命令を符号化又は送信するフォーマットされた電磁波を含む。命令は、例えば、ハードウェア、ファームウェア、ソフトウェア、又は電磁波の形式であってよい。命令は、例えば、オペレーティング・システム、別個のアプリケーション、又はそれらの組み合わせに含まれてよい。プロセッサーは、従って、例えば処理を実行する装置、及び処理を実行する命令を有するコンピューター可読媒体を含む装置の両方で特徴付けられてよい。
【００５６】
多数の実施例が記載された。しかしながら、種々の変更が行われ得ることが理解されるだろう。例えば、異なる実施例の要素が結合、追加、変更、又は除去され、他の実施例を形成してもよい。従って、他の実施例も本発明の範囲に包含される。
【００５７】
［関連文献］
本出願は、米国仮出願番号６０／７９９,６２５（代理人整理番号ＰＵ０４０３３１）、２００６年５月１１日出願、名称「Protocol  for  Mobile  Reception  and  Other  Environments」の利益を請求する。当該出願の全体は、参照されることにより本願明細書に組み込まれる。
【図面の簡単な説明】
【００５８】
【図１】ある実施例によるシステムの概略図を示す。
【図２】送信機のある実施例の概略図を示す。
【図３】送信方法の実施例の処理フロー図である。
【図４】ある実施例で、例である送信可能なデータのフィールドの構成要素を示す。
【図５Ａ】送信方法の、スロットの構成及び関連する帯域幅の使用の例を示す。
【図５Ｂ】高解像度データ及び標準画質データの両方を含む送信方法の、スロットの構成及び関連する帯域幅の使用の例を示す。
【図５Ｃ】標準画質データの２つのストリームを含む送信方法の、スロットの構成及び関連する帯域幅の使用の例を示す。
【図６】ある実施例の帯域幅の使用を説明する。
【図７】ある実施例のバースト・バッファの読み出しタイミングを制御する実施例を説明する。
【図８】ある実施例の受信機のブロック図である。
【図９】データ受信方法の実施例の処理フロー図である。
【図１０】データ送信方法の実施例の処理フロー図である。
【図１１】データ受信方法の実施例の処理フロー図である。
【図１２】データ送信方法の実施例の処理フロー図である。
【図１】
2009537094.tif 000003
【図２】
2009537094.tif 000004
【図３】
2009537094.tif 000005
【図４】
2009537094.tif 000006
【図５Ａ】
2009537094.tif 000007
【図５Ｂ】
2009537094.tif 000008
【図５Ｃ】
2009537094.tif 000009
【図６】
2009537094.tif 000010
【図７】
2009537094.tif 000011
【図８】
2009537094.tif 000012
【図９】
2009537094.tif 000013
【図１０】
2009537094.tif 000014
【図１１】
2009537094.tif 000015
【図１２】
2009537094.tif 000016
【国際調査報告】
2009537094.tif 000017
2009537094.tif 000018